(57)【要約】【課題】安価な構成で、必要な浮力を安定して確保することができる、建物、浮力体の施工方法および建物の製造方法を提供する。【解決手段】建物１０は、屋根裏空間Ｓを構成する屋根３６を有する建物本体１４と、屋根裏空間Ｓに設けられ、建物本体１４が水Ｗに流されるときに建物本体１４に浮力を与える浮力体１６とを備えている。浮力体１６は、屋根３６の少なくとも一部を水面Ｘより上に浮上させることができる量の樹脂発泡体１６ａで構成されている。樹脂発泡体１６ａとしては、硬質ウレタン発泡体を用いることができる。樹脂発泡体１６ａを屋根裏空間Ｓに充填する際には、樹脂発泡体１６ａを屋根裏空間Ｓの内部に吹き付けて、柱３２と梁２４との結合部３８や、柱３２と梁３４との結合部４０に付着させる。【選択図】図２
2019210674.tif 000002
【特許請求の範囲】
【請求項１】
屋根裏空間を構成する屋根を有する建物本体と、
前記屋根裏空間に設けられ、前記建物本体が水に流されるときに前記建物本体に浮力を与える浮力体とを備え、
前記浮力体は、前記屋根の少なくとも一部を水面より上に浮上させることができる量の樹脂発泡体で構成されている、建物。
【請求項２】
前記樹脂発泡体は、硬質ウレタン発泡体である、請求項１に記載の建物。
【請求項３】
前記建物本体は、前記屋根裏空間において互いに結合された柱および梁を有しており、
前記樹脂発泡体は、前記柱と前記梁との結合部に密着してこれを覆うように設けられている、請求項１または２に記載の建物。
【請求項４】
前記屋根は、傾斜した屋根面を有しており、
前記浮力体は、前記屋根面の下端を水面より上に浮上させない量の樹脂発泡体で構成されている、請求項１ないし３のいずれか１項に記載の建物。
【請求項５】
前記屋根は、傾斜した２つの前記屋根面を有する三角屋根である、請求項４に記載の建物。
【請求項６】
前記浮力体は、前記屋根裏空間の全体を埋めるように設けられている、請求項１ないし５のいずれか１項に記載の建物。
【請求項７】
屋根裏空間を構成する屋根を有する建物本体に浮力体を設けるための浮力体の施工方法であって、
（ａ）前記浮力体を構成するための樹脂発泡体を準備する工程と、
（ｂ）前記建物本体が水に流されるときに前記屋根の少なくとも一部を水面より上に浮上させることができる量の前記樹脂発泡体を前記屋根裏空間に充填する工程とを備える、浮力体の施工方法。
【請求項８】
前記（ａ）工程は、ポリイソシアネート、ポリオールおよび発泡剤を混合する工程を有しており、
前記（ｂ）工程は、前記（ａ）工程で混合された混合物を前記屋根裏空間の内部に吹き付けながら硬質ウレタン発泡体を生成する工程を有している、請求項７に記載の浮力体の施工方法。
【請求項９】
屋根裏空間を構成する屋根を有する建物本体と、前記建物本体に浮力を与えるための浮力体とを備える建物の製造方法であって、
（ａ）前記浮力体を構成するための樹脂発泡体を準備する工程と、
（ｂ）前記建物本体が水に流されるときに前記屋根の少なくとも一部を水面より上に浮上させることができる量の前記樹脂発泡体を前記屋根裏空間に充填する工程とを備える、建物の製造方法。
【請求項１０】
前記（ａ）工程は、ポリイソシアネート、ポリオールおよび発泡剤を混合する工程を有しており、
前記（ｂ）工程は、前記（ａ）工程で混合された混合物を前記屋根裏空間の内部に吹き付けながら硬質ウレタン発泡体を生成する工程を有している、請求項９に記載の建物の製造方法。
【発明の詳細な説明】
【技術分野】
【０００１】
本発明は、建物本体と浮力体とを備える建物、建物本体に浮力を与える浮力体の施工方法および建物本体と浮力体とを備える建物の製造方法に関する。
【背景技術】
【０００２】
従来から浮力体を備える様々な建物が存在している。その例として、下記特許文献１には、浮力体の一種である直方形状浮体を備える台船型の建物が開示されており、下記特許文献２には、浮力体の一種であるエアバックを備える建物が開示されている。これらの建物によれば、津波や豪雨による洪水の発生時に、建物本体を水面より上に浮かせることができるので、建物本体内に被災者を避難させることができる。
【先行技術文献】
【特許文献】
【０００３】
【特許文献１】特開２００７−１９２００７号
【特許文献２】特開２０１３−３２６８６号
【０００４】
しかしながら、上記特許文献１に記載された建物では、建物本体の全体を支持する直方形状浮体が大きくなるため、製造コストが高くなるという問題があった。また、上記特許文献２に記載された建物では、ガレキなどの浮遊物との接触によってエアバックに穴が開くおそれがあるため、必要な浮力を安定して確保することが困難であるという問題があった。
【発明の概要】
【０００５】
本発明は上記問題に対処するためになされたものであり、安価な構成で、必要な浮力を安定して確保することができる、建物、浮力体の施工方法および建物の製造方法を提供することを目的とする。
【０００６】
上記目的を達成するため、本発明に係る建物の特徴は、屋根裏空間を構成する屋根を有する建物本体と、前記屋根裏空間に設けられ、前記建物本体が水に流されるときに前記建物本体に浮力を与える浮力体とを備え、前記浮力体は、前記屋根の少なくとも一部を水面より上に浮上させることができる量の樹脂発泡体で構成されていることにある。
【０００７】
この構成では、浮力体によって屋根の少なくとも一部を水面より上に浮上させることができるので、被災者は、屋根の上に避難することができる。また、建物本体の全体を浮上させる必要がないので、樹脂発泡体の量を少なくすることができ、浮力体を安価に構成することができる。また、樹脂発泡体で構成された浮力体では、空気漏れなどで浮力が低下することがないので、必要な浮力を安定して確保することができる。さらに、建物本体が流されるときには、屋根裏空間に設けられた浮力体によって、屋根を安定して支持することができる。
【０００８】
本発明に係る建物の他の特徴は、前記樹脂発泡体は、硬質ウレタン発泡体であることにある。
【０００９】
この構成では、樹脂発泡体として硬質ウレタン発泡体が用いられているので、吹き付けによる浮力体の施工が可能であり、浮力体を簡単かつ安価に構成することができる。また、硬質ウレタン発泡体は自己接着性を有しているので、屋根裏空間を構成する部材（柱、梁、屋根など）にこれを接着させることによって、当該部材を補強することができる。さらに、硬質ウレタン発泡体は断熱性を有しているので、建物の居住性を高めることができる。
【００１０】
本発明に係る建物の他の特徴は、前記建物本体は、前記屋根裏空間において互いに結合された柱および梁を有しており、前記樹脂発泡体は、前記柱と前記梁との結合部に密着してこれを覆うように設けられていることにある。
【００１１】
この構成では、樹脂発泡体が、柱と梁との結合部に密着してこれを覆うように設けられているので、樹脂発泡体を柱および梁と一体化させて結合部を補強することができる。したがって、建物本体が洪水で流される場合でも、柱と梁との結合状態を保持することができ、屋根に避難した被災者の安全を確保できる。また、柱や梁が流出した場合には、樹脂発泡体を含むこれらの一体物を被災者が掴まる浮き体として利用することができる。
【００１２】
本発明に係る建物の他の特徴は、前記屋根は、傾斜した屋根面を有しており、前記浮力体は、前記屋根面の下端を水面より上に浮上させない量の樹脂発泡体で構成されていることにある。
【００１３】
この構成では、傾斜した屋根面の下端が水面より上に浮上しないので、被災者は、水面から屋根面に上り易い。
【００１４】
本発明に係る建物の他の特徴は、前記屋根は、傾斜した２つの前記屋根面を有する三角屋根であることにある。
【００１５】
この構成では、建物本体の屋根が傾斜した２つの屋根面を有しているので、被災者は、安全性などを考慮して選択した一方の屋根面に上ることができる。例えば、ガレキなどの浮遊物が障害となって一方の屋根面に近づくことが困難である場合には、他方の屋根面に上ることができる。また、建物本体の屋根が三角屋根であることから、その頂点を挟んだ両側でバランスを取り易く、水の中で屋根を安定させ易い。
【００１６】
本発明に係る建物の他の特徴は、前記浮力体は、前記屋根裏空間の全体を埋めるように設けられていることにある。
【００１７】
この構成では、屋根裏空間の全体を埋めるように浮力体が設けられているので、建物本体が洪水で流される場合でも、浮力体によって屋根を安定して支持することができる。
【００１８】
上記目的を達成するため、本発明に係る浮力体の施工方法は、屋根裏空間を構成する屋根を有する建物本体に浮力体を設けるための浮力体の施工方法であって、（ａ）前記浮力体を構成するための樹脂発泡体を準備する工程と、（ｂ）前記建物本体が水に流されるときに前記屋根の少なくとも一部を水面より上に浮上させることができる量の前記樹脂発泡体を前記屋根裏空間に充填する工程とを備えることにある。
【００１９】
この構成では、樹脂発泡体を屋根裏空間に充填するだけで、浮力体を簡単に構成することができる。樹脂発泡体の量は、屋根の少なくとも一部を水面より上に浮上させることができる量に定められているので、建物本体の全体を浮上させる必要がなく、樹脂発泡体の量を少なくして、浮力体を安価に構成することができる。
【００２０】
本発明に係る浮力体の施工方法の他の特徴は、前記（ａ）工程は、ポリイソシアネート、ポリオールおよび発泡剤を混合する工程を有しており、前記（ｂ）工程は、前記（ａ）工程で混合された混合物を前記屋根裏空間の内部に吹き付けながら硬質ウレタン発泡体を生成する工程を有していることにある。
【００２１】
この構成では、屋根裏空間の内部に材料を吹き付けながら硬質ウレタン発泡体を生成するようにしているので、屋根裏空間の形状にかかわらず、施工し易い。また、硬質ウレタン発泡体は自己接着性を有しているので、屋根裏空間を構成する部材（柱、梁、屋根など）にこれを付着させることによって、当該部材を補強することができる。さらに、硬質ウレタン発泡体は断熱性に優れているため、建物の居住性を高めることができる。
【００２２】
上記目的を達成するため、本発明に係る建物の製造方法の特徴は、屋根裏空間を構成する屋根を有する建物本体と、前記建物本体に浮力を与えるための浮力体とを備える建物の製造方法であって、（ａ）前記浮力体を構成するための樹脂発泡体を準備する工程と、（ｂ）前記建物本体が水に流されるときに前記屋根の少なくとも一部を水面より上に浮上させることができる量の前記樹脂発泡体を前記屋根裏空間に充填する工程とを備えることにある。
【００２３】
この構成では、樹脂発泡体を屋根裏空間に充填するだけで、浮力体を備える建物を簡単に製造することができる。樹脂発泡体の量は、屋根の少なくとも一部を水面より上に浮上させることができる量に定められているので、建物本体の全体を浮上させる必要がなく、樹脂発泡体の量を少なくして、建物を安価に製造することができる。
【００２４】
本発明に係る建物の製造方法の他の特徴は、前記（ａ）工程は、ポリイソシアネート、ポリオールおよび発泡剤を混合する工程を有しており、前記（ｂ）工程は、前記（ａ）工程で混合された混合物を前記屋根裏空間の内部に吹き付けながら硬質ウレタン発泡体を生成する工程を有していることにある。
【００２５】
この構成では、屋根裏空間の内部に材料を吹き付けながら硬質ウレタン発泡体を生成するようにしているので、屋根裏空間の形状にかかわらず、施工し易い。また、硬質ウレタン発泡体は自己接着性を有しているので、屋根裏空間を構成する部材（柱、梁、屋根など）にこれを接着させることによって、当該部材を補強することができる。さらに、硬質ウレタン発泡体は断熱性を有しているので、建物の居住性を高めることができる。
【図面の簡単な説明】
【００２６】
【図１】実施形態に係る建物の構成を示す断面図である。
【図２】実施形態に係る建物が洪水で流された状態を示す断面図である。
【図３】実施形態に係る建物の製造方法を示す図であり、（Ａ）は基礎の上に建物本体を建てた状態を示す断面図、（Ｂ）は屋根裏空間に樹脂発泡体の一部を充填した状態を示す断面図である。
【図４】浮力体を屋根裏空間の全体を埋めるように設けた建物の構成を示す断面図である。
【図５】ブロック状の浮力体を屋根裏空間に設けた建物の構成を示す断面図である。
【図６】屋根を変更した建物の構成を示す断面図である。
【発明を実施するための形態】
【００２７】
以下、本発明に係る建物、浮力体の施工方法および建物の製造方法の実施形態について図面を参照しながら説明する。
【００２８】
図１は、実施形態に係る建物１０の構成を示す断面図である。図２は、建物１０が洪水で流された状態を示す断面図である。これらの各図は、本発明の理解を容易にするために、一部の構成要素を誇張して表わすなど模式的に表している。そのため、各構成要素間の寸法や比率などは実物とは異なっていることがある。
【００２９】
図１に示すように、建物１０は、地面Ｇに設けられた基礎１２と、基礎１２上に建てられた建物本体１４と、浮力体１６とを備えている。本実施形態の建物１０は、木造住宅であり、建物本体１４を構成する部材（柱、梁、屋根など）の多くが木材で形成されている。ただし、本発明の建物は、木造住宅に限定されるものではなく、鉄筋構造の家屋であってもよい。
【００３０】
基礎１２は、建物本体１４を支持する部分であり、鉄筋コンクリートなどによって形成されている。基礎１２の上面には、複数のアンカーボルト１８が上方に突出して設けられている。
【００３１】
建物本体１４は、基礎１２の上面に載置された木製の土台２０と、土台２０の上面に結合された木製の柱２２と、柱２２の上端に結合された木製の梁２４とを有している。土台２０には、貫通穴２０ａが形成されており、貫通穴２０ａには、アンカーボルト１８が挿通されている。そして、アンカーボルト１８にナット２６が螺合されることによって、土台２０が基礎１２に固定されている。
【００３２】
土台２０の上面には、ほぞ穴２８が形成されており、柱２２の下端には、ほぞ３０が形成されている。そして、ほぞ３０がほぞ穴２８に嵌合されることによって、柱２２が土台２０に結合されている。そのため、図２に示すように、津波や豪雨による洪水の発生時には、水Ｗの水圧を受けた柱２２が土台２０から分離され易く、建物本体１４のうち土台２０よりも上の部分が水Ｗに流される。したがって、本実施形態の浮力体１６を構成する樹脂発泡体１６ａ（図１）の量は、建物本体１４のうち土台２０よりも上の部分の比重や体積に基づいて決定されることになる。
【００３３】
ただし、建物の構造によっては、土台２０を含めた建物本体１４の全体が水Ｗに流されることがある。また、建物本体１４のうち柱２２よりも上の部分（屋根３６を含む部分）だけが他の部分から分離して水Ｗに流されることもある。したがって、浮力体１６を構成する樹脂発泡体１６ａ（図１）の量は、建物の構造に応じて、建物本体１４における実際に流されると考えられる部分の比重や体積に基づいて決定されてもよい。
【００３４】
また、図１に示すように、建物本体１４は、上記梁２４の上方において屋根裏空間Ｓを構成する木製の柱３２、木製の梁３４および屋根３６を有している。柱３２の下端は梁２４に結合されており、柱３２の上端は梁３４に結合されている。そして、梁３４に対して屋根３６が結合されている。柱３２と梁２４との結合部３８や、柱３２と梁３４との結合部４０には、嵌合構造や接続金具などの結合手段（図示省略）が用いられている。
【００３５】
図１に示す屋根３６は、柱３２および梁３４と協働して屋根裏空間Ｓを構成する三角屋根であり、水平面に対して互いに反対方向に傾斜した２つの屋根面４２，４４を有している。本実施形態の屋根３６の形状は二等辺三角形であり、屋根３６の頂点３６ａが建物本体１４の中央に位置している。したがって、建物本体１４が流されるときには、頂点３６ａを挟んだ両側でバランスを取り易く、水Ｗの中で屋根３６を安定させ易い。
【００３６】
図１に示す浮力体１６は、建物本体１４が洪水で流されるときに、建物本体１４に浮力を与える部分であり、屋根裏空間Ｓに充填された樹脂発泡体１６ａで構成されている。本実施形態の樹脂発泡体１６ａは、具体的には、発泡倍率が３０〜６０倍の独立気泡で構成された硬質ウレタン発泡体である。ここで、硬質ウレタン発泡体とは、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）などと混合して、泡化反応と樹脂化反応とを同時に行わせることによって得られる均質なプラスチック発泡体である。
この硬質ウレタン発泡体は、水の吸水性が低いまたは実質的に吸水性がないものが好ましい。
【００３７】
浮力体１６が生じさせる浮力の大きさは、樹脂発泡体１６ａの種類が同じであれば、その量に応じて変動する。つまり、屋根裏空間Ｓに充填される樹脂発泡体１６ａの量が多くなるほど、建物本体１４に与えられる浮力は大きくなる。本実施形態では、樹脂発泡体１６ａが２０ｋｇ当たり１ｔの浮力を生じさせるように形成されており、浮力体１６は、必要な浮力を生じさせる量の樹脂発泡体１６ａで構成されている。なお、樹脂発泡体１６ａが生じさせる浮力の大きさは、発泡倍率を変えることなどによって調整することができる。
【００３８】
図２に示すように、屋根３６の少なくとも一部が水面Ｘより上に浮上していれば、被災者Ｍは、屋根３６に避難することができる。そこで、浮力体１６は、屋根３６の少なくとも一部を水面Ｘより上に浮上させることができる量の樹脂発泡体１６ａで構成されている。また、屋根面４２，４４の下端４２ａ，４４ａを水面Ｘより上に浮上させると、被災者Ｍが屋根面４２，４４に上ることが困難になり、その結果、屋根３６に避難することが困難になる。そこで、浮力体１６は、屋根面４２，４４の下端４２ａ，４４ａを水面Ｘより上に浮上させない量の樹脂発泡体１６ａで構成されている。なお、図１および図２では、浮力体１６が１つの塊として構成された状態を示しているが、浮力体１６は、複数に分割して構成されてもよい。
【００３９】
樹脂発泡体１６ａは、柱３２と梁２４との結合部３８や、柱３２と梁３４との結合部４０に密着して、これを覆うように設けられている。樹脂発泡体１６ａとして用いられる硬質ウレタン発泡体は、自己接着性を有しているため、柱３２および梁２４，３４の表面に付着させることによって、結合部３８，４０を補強することができる。また、樹脂発泡体１６ａを屋根３６の裏面に付着させることによって、屋根３６を補強することができる。
【００４０】
（建物の製造方法）
図３は、建物１０の製造方法を示す図であり、（Ａ）は基礎１２の上に建物本体１４を建てた状態を示す断面図、（Ｂ）は屋根裏空間Ｓに樹脂発泡体１６ａの一部を充填した状態を示す断面図である。建物１０を製造する際には、まず、図３（Ａ）に示すように、地面Ｇに基礎１２を構築し、続いて、基礎１２の上に建物本体１４を建てる。その後、図３（Ｂ）に示すように、屋根裏空間Ｓの内部に樹脂発泡体１６ａをスプレーガン（図示省略）で吹き付けて浮力体１６を構成する。
【００４１】
（浮力体の施工方法）
建物本体１４に浮力体１６を設ける際には、浮力体１６を構成するための樹脂発泡体１６ａを準備する準備工程（ａ）と、樹脂発泡体１６ａを屋根裏空間Ｓに充填する充填工程（ｂ）とを、この順に実行する。本実施形態では、樹脂発泡体１６ａを屋根裏空間Ｓの内部にスプレーガン（図示省略）で吹き付けて浮力体１６を構成するため、準備工程（ａ）と充填工程（ｂ）とは、ほぼ同時に進行する。
【００４２】
準備工程（ａ）では、ポリイソシアネート、ポリオール、触媒、発泡剤および整泡剤などの材料をスプレーガンに供給する。このとき、ポリイソシアネートとポリオールとは、異なる経路（ホースなど）からスプレーガンに供給する。そして、ノズルを屋根裏空間Ｓの内部に向けて、トリガーを引く。すると、上記の各材料がスプレーガンの内部で混合されながら、ノズルから屋根裏空間Ｓの内部に噴射される。噴射された混合物は、３０〜６０倍の発泡倍率で発泡して、樹脂発泡体１６ａ（硬質ウレタン発泡体）となる。
【００４３】
充填工程（ｂ）では、準備工程（ａ）で生成された樹脂発泡体１６ａを屋根裏空間Ｓの内部に吹き付けて充填する。このとき、樹脂発泡体１６ａを結合部３８，４０の表面に付着させて、結合部３８，４０を補強することができるとともに、樹脂発泡体１６ａを屋根３６の裏面に付着させることにより屋根３６を補強することもできる。結合部３８，４０の表面や屋根３６の裏面に樹脂発泡体１６ａを何層にも重ねて吹き付けることによって、補強の強度を高めることができる。また、結合部３８，４０の表面と屋根３６の裏面とを一体的に樹脂発泡体１６を付着させることで更に屋根の剛性を高めることができる。
【００４４】
充填工程（ｂ）における樹脂発泡体１６ａの充填量は、建物本体１４が水Ｗに流されるときに屋根３６の少なくとも一部を水面Ｘより上に浮上させることができる量に定めている。また、屋根面４２，４４の下端４２ａ，４４ａを水面Ｘより上に浮上させない量に定めている。図２に示すように、本実施形態の建物１０では、柱２２が土台２０から分離されて、建物本体１４のうち土台２０よりも上の部分が水Ｗに流される。そのため、建物本体１４のうち土台２０よりも上の部分の比重や体積に基づいて、上記充填量を定めている。
【００４５】
（実施形態の効果）
本実施形態によれば、上記構成により以下の各効果を奏することができる。すなわち、図２に示すように、浮力体１６によって屋根３６の少なくとも一部を水面Ｘより上に浮上させることができるので、被災者Ｍは、屋根３６の上に避難することができる。また、建物本体１４の全体を浮上させる必要がないので、浮力体１６を構成する樹脂発泡体１６ａの量を少なくすることができ、浮力体１６を安価に構成することができる。また、樹脂発泡体１６ａで構成された浮力体１６では、空気漏れなどで浮力が低下することがないので、必要な浮力を安定して確保することができる。さらに、建物本体１４が流されるときには、屋根裏空間Ｓに設けられた浮力体１６によって、屋根３６を安定して支持することができる。
【００４６】
図１に示す樹脂発泡体１６ａとして硬質ウレタン発泡体が用いられているので、吹き付けによる浮力体１６の施工が可能であり、浮力体１６を簡単かつ安価に構成することができる。また、硬質ウレタン発泡体は自己接着性を有しているので、屋根裏空間Ｓを構成する柱３２、梁３４および屋根３６などにこれを接着させることによって、これらの部材を補強することができる。さらに、硬質ウレタン発泡体は断熱性を有しているので、建物１０の居住性を高めることができる。
【００４７】
図１に示すように、樹脂発泡体１６ａが、柱３２と梁２４との結合部３８や、柱３２と梁３４との結合部４０に密着してこれを覆うように設けられているので、樹脂発泡体１６ａを柱３２および梁２４，３４と一体化させて結合部３８，４０を補強することができる。したがって、建物本体１４が洪水で流された場合でも、結合部３８，４０の結合状態を保持することができ、屋根３６に避難した被災者Ｍの安全を確保できる。また、柱３２や梁３４が流出した場合には、樹脂発泡体１６ａを含むこれらの一体物を被災者Ｍが掴まる浮き体として利用することができる。
【００４８】
図２に示すように、浮力体１６は、屋根面４２，４４の下端４２ａ，４４ａを水面Ｘより上に浮上させない量の樹脂発泡体１６ａで構成されている。つまり、傾斜した屋根面４２，４４の下端４２ａ，４４ａは、水面Ｘより上に浮上しない。したがって、被災者Ｍは、水面Ｘから屋根面４２，４４に上り易い。
【００４９】
図２に示すように、建物本体１４の屋根３６が傾斜した２つの屋根面４２，４４を有しているので、被災者Ｍは、安全性などを考慮して選択した一方の屋根面に上ることができる。例えば、ガレキなどの浮遊物（図示省略）が障害となって、一方の屋根面４２（４４）に近づくことが困難である場合には、他方の屋根面４４（４２）に上ることができる。また、建物本体１４の屋根３６が三角屋根であることから、その頂点３６ａを挟んだ両側でバランスを取り易く、水Ｗの中で屋根３６を安定させ易い。
【００５０】
図３（Ｂ）に示すように、樹脂発泡体１６ａを屋根裏空間Ｓに充填するだけで、浮力体１６を備える建物１０を簡単に製造することができる。また、屋根裏空間Ｓの内部に材料を吹き付けながら樹脂発泡体１６ａとしての硬質ウレタン発泡体を生成しているので、屋根裏空間Ｓの形状にかかわらず、施工し易い。
【００５１】
（変形例）
なお、本発明の実施にあたっては、上記実施形態に限定されず、本発明の目的を逸脱しない限りにおいて種々の変更が可能である。例えば、上記実施形態では、樹脂発泡体１６ａとして硬質ウレタン発泡体を用いているが、樹脂発泡体１６ａの種類は、特に限定されるものではなく、フェノール発泡体やポリスチレン発泡体などが用いられてもよい。
【００５２】
上記実施形態では、浮力体１６は、屋根面４２，４４の下端４２ａ，４４ａを水面Ｘより上に浮上させない量の樹脂発泡体１６ａで構成されているが、浮力体１６は、これらの下端４２ａ，４４ａを水面Ｘより上に浮上させる量の樹脂発泡体１６ａで構成されてもよい。この場合でも、梯子などを設けておくことによって、被災者Ｍは屋根３６に上ることができる。
【００５３】
図４は、浮力体４８を屋根裏空間Ｓの全体を埋めるように設けた建物５０の構成を示す断面図である。図１に示す建物１０では、浮力体１６が、屋根裏空間Ｓの内部の結合部３８，４０を中心として部分的に設けられているが、図４に示す建物５０のように、浮力体４８は、屋根裏空間Ｓの全体を埋めるように設けられてもよい。浮力体４８は、上記浮力体１６と同様の樹脂発泡体１６ａで構成されており、屋根裏空間Ｓの内部に吹き付けて充填されている。この構成によれば、建物本体１４が水Ｗで流される場合でも、浮力体１６によって屋根３６を安定して支持することができる。また、屋根裏空間Ｓの断熱性を高めて、建物５０の居住性を高めることができる。
【００５４】
図５は、ブロック状の浮力体５２を屋根裏空間Ｓに設けた建物５４の構成を示す断面図である。図３（Ｂ）に示すように、上記実施形態の建物１０では、浮力体１６が屋根裏空間Ｓの内部に吹き付けて充填されているが、図５に示す建物５４のように、ブロック状に形成された複数の浮力体５２を準備して、これらを屋根裏空間Ｓに層状に敷き詰めてもよい。つまり、浮力体５２の施工時には、複数のブロック状の浮力体５２を準備する準備工程（ａ）と、複数の浮力体５２を屋根裏空間Ｓに層状に敷き詰めて充填する充填工程（ｂ）とを、この順に実行してもよい。
【００５５】
図６は、屋根を変更した建物５６の構成を示す断面図である。図１に示す建物１０では、屋根３６が傾斜した２つの屋根面４２，４４を有する三角形状（二等辺三角形）に形成されているが、屋根の形状は、特に限定されるものではなく、１つの屋根面を有する三角形状（直角三角形）や、傾斜の無い平面形状（箱状の屋根）や、緩やかに湾曲した円弧形状であってもよい。また、図６に示す屋根５８のように、多角形の一部を切り取った形状であってもよい。図６に示す屋根５８では、頂点５８ａを挟んだ両側に屈曲しながら傾斜した屋根面６０，６２が形成されている。したがって、図２に示す三角屋根の場合と同様に、頂点５８ａを挟んだ両側でバランスを取り易く、建物５６が水Ｗに流されるときに、屋根５８を安定させ易い。また、被災者Ｍは、水面Ｘから屋根面６０，６２に上り易い。
【符号の説明】
【００５６】
Ｓ…屋根裏空間、Ｗ…水、Ｘ…水面、Ｍ…被災者、１０…建物、１２…基礎、１４…建物本体、１６…浮力体、１６ａ…樹脂発泡体、２０…土台、２２,３２…柱、２４，３４…梁、３６…屋根、３８，４０…結合部。
【図１】
2019210674.tif 000003
【図２】
2019210674.tif 000004
【図３】
2019210674.tif 000005
【図４】
2019210674.tif 000006
【図５】
2019210674.tif 000007
【図６】
2019210674.tif 000008